(57)【要約】【課題】構造が簡単でかつ省スペース化を図ると共に、複数個の単二、単三電池を任意の組合せで直列に接続し収納できる電池ケースを提供すること。【解決手段】有底筒状の底面に負電極接点１ｃを有し、開口端部１ｂから単二形または単三形電池を収納する収納部１ａを備えた第一ケース１と、有底筒状の底面に正電極接点２ｃを有し、第一ケース１と同様に収納部２ａを備えた第二ケース２と、第一、第二ケース１、２の側面内部にスプリングバネ３ｂにより回動自在に軸支し且つ収納される電池の周側部を押圧し、電池の中心軸を収納部１ａ、２ａの中央に配置する複数の軸付位置決めホルダ３とから構成され、第一ケース１の開口端部１ｂの外周面に雄螺子部１ｅを、第二ケース２の開口端部２ｂの内周面に雌螺子部２ｅを形成し、雄螺子部１ｅと雌螺子部２ｅを螺合する。【選択図】  図２
2004311035.tif 000002
【特許請求の範囲】
【請求項１】
有底筒状の底面に負電極接点を有し、上面の開口端部から単二形電池または単三形電池を挿脱可能に収納する収納部を備えた第一ケースと、有底筒状の底面に正電極接点を有し、上面の開口端部から単二形電池または単三形電池を挿脱可能に収納する収納部を備えた第二ケースと、
前記第一ケースと前記第二ケースの前記収納部の壁面内部にスプリングバネにより回動自在に軸支され、収納される前記電池の外周を押圧し、前記電池の中心軸を前記収納部の中心に配置する複数の軸付位置決めホルダとから構成され、
前記第一ケースまたは前記第二ケースの一方の開口端部の外周面に雄螺子部を形成するとともに、他方の開口端部の内周面に雌螺子部を形成し、同雌螺子部と前記雄螺子部とを螺合することにより、
前記単二形電池または前記単三形電池を、任意の組み合わせで直列にかつ縦方向に収納してなることを特徴とする電池ケース。
【請求項２】
前記収納部を円筒状とし、同円筒状の内径を前記単二形電池の外径に対応してなることを特徴とする請求項１記載の電池ケース。
【請求項３】
前記軸付位置決めホルダの一側面は、前記単三形電池の外径に対応した曲面状としたことを特徴とする請求項２記載の電池ケース。
【発明の詳細な説明】
【０００１】
【発明の属する技術分野】
本発明は、防災無線システムの戸別受信機等に組込まれる電池ケースに係り、より詳しくは、外形寸法の異なる単二形電池と単三形電池を共用することができる電池ケースに関するものである。
【０００２】
【従来の技術】
従来の外形寸法の異なる電池を共用する電池ケースにおいては、例えば、図４（ａ）及び図４（ｂ）に示すように、正極突起８と負極突起９との間に単一形電池１０を長手方向に収納できる防災無線関連機器等の電池ケース１１に対し、単二形から単四形電池１２、１３、１４を垂直に収納する領域が夫々設けられ、電池ケース１１の長辺間の各領域に補助正極突起１５、１６、１７と補助負極突起１８，１９，２０を有し、単一形から単四形電池１０、１２、１３、１４の各領域の正極突起８と補助正極突起１５、１６、１７、負極突起９と補助負極突起１８、１９、２０を、夫々電気的に並列接続する構成となっている。また、図１に示す構成の電池ケース１１を複数個、電気的に直列接続し、高い電圧を必要とする防災無線関連機器に適用できるものとなっている（特許文献１参照）。
【０００３】
また、図５（ａ）および図５（ｂ）に示すように、外形寸法が異なる任意の一つの筒型電池を収容できる電池ケース２１で、上部に開口部を有し底面に接点板２２が取付けられ、常時上方に付勢された状態で上下動自在に電池ケース２１内に取付けた円筒状の電池収容ケース２３を設け、電池収容ケース２３内に、中心部方向に付勢された付勢部２４を有する円筒状の支持部材２５を取付け、支持部材２５内に挿入した筒型電池を、支持部材２５の付勢部２４によって筒型電池外縁に沿って中心位置に保持し、接点板２６を有し電池ケース２１の上部開口部に開閉自在に取付けられた蓋板２７で収容する構成となっている。また、図１と同様に、電池ケース２１を電気的に複数個接続し、高い電圧を得ることができるものとなっている（特許文献２参照）。
【０００４】
【特許文献１】
特開平１０−３８９４号公報（第３頁、図５及び図６）
【特許文献２】
特開平１０−２７５９０号公報（第５−６頁、図６）
【０００５】
【発明が解決しようとする課題】
しかしながら、特許文献１においては、単二形から単四形電池の任意の組合せによる収納を可能とするが、電池ケースの長辺に対し垂直にかつ並列に収納するための領域を確保すると、電池ケースの短辺方向のスペースを多くとってしまうと共に、単一形電池と、単二形から単四形電池の外形寸法に合わせた複雑な領域の区画形成が必要となり、また、各電池を並列接続するための電極を各領域に配置することから、部品点数も多く必要となってしまうといった問題を有していた。
【０００６】
更に、特許文献２においては、任意の一個の電池を支持部材により中心位置に保持し収容を可能とするが、任意の電圧や電池の容量を得るには同一の電池ケースを複数用意する必要があり、緊急事態の時に電池切れ等により電池交換するには、電池ケースごとに蓋板を開閉し電池を挿入するという手間がかかってしまうといった問題点を有していた。
【０００７】
本発明は、上記の問題点に鑑みなされたもので、構造が簡単でかつ省スペース化を図ると共に、単二形電池または単三形電池を任意の組合せで直列に接続し収納できる電池ケースを提供することを目的とするものである。
【０００８】
【課題を解決するための手段】
請求項１に記載の発明は、有底筒状の底面に負電極接点を有し、上面の開口端部から単二形電池または単三形電池を挿脱可能に収納する収納部を備えた第一ケースと、
有底筒状の底面に正電極接点を有し、上面の開口端部から単二形電池または単三形電池を挿脱可能に収納する収納部を備えた第二ケースと、
前記第一ケースと前記第二ケースの前記収納部の壁面内部にスプリングバネにより回動自在に軸支され、収納される前記電池の外周を押圧し、前記電池の中心軸を前記収納部の中心に配置する複数の軸付位置決めホルダとから構成され、
前記第一ケースまたは前記第二ケースの一方の開口端部の外周面に雄螺子部を形成するとともに、他方の開口端部の内周面に雌螺子部を形成し、同雌螺子部と前記雄螺子部とを螺合することにより、
前記単二形電池または前記単三形電池を、任意の組み合わせで直列にかつ縦方向に収納してなることを特徴とするものである。
【０００９】
このような構成においては、構造が簡単でかつ省スペース化を図ると共に、単二形あるいは単三形電池を任意の組合せで直列に接続し収納できる電池ケースを提供することができる。
【００１０】
請求項２に記載の発明は、請求項１に記載の発明において、更に省スペース化を図るために、前記収納部を円筒状とし、同円筒状の内径を前記単二形電池の外径に対応してなることを特徴とするものである。
【００１１】
請求項３に記載の発明は、請求項２記載の発明において、単三形電池を確実に負電極接点または正電極接点の中央に収納するために、前記軸付位置決めホルダの一側面は、前記単三形電池の外径に対応した曲面状としたことを特徴とするものである。
【００１２】
【発明の実施の形態】
以下、本発明の一実施形態例を図面を用いて説明する。
図１は本発明による電池ケースにおいて電池未収納状態を示す図であり、（ａ）は（ｂ）のＢ−Ｂ線矢視に相当する下面からみた概略断面図、（ｂ）は（ａ）のＡ−Ａ線矢視の概略断面図、図２は本発明による電池ケースにおいて電池収納状態を示す図であり、（ａ）は（ｂ）のＢ−Ｂ線矢視に相当する下面からみた概略断面図、（ｂ）は（ａ）のＡ−Ａ線矢視の概略断面図、図３は本発明による電池ケースの軸付位置決めホルダの部分斜視図である。
【００１３】
図１（ａ）及び図１（ｂ）に示すように、１は第一ケースで、中心部に電池を収納する、例えば、単二形電池の外径に対応する内径とした有底円筒状の収納部１ａを設け、同収納部１ａは単二形電池または単三形電池を収納可能に上面に開口端部１ｂを有し、底面の中心部に例えば、円錐状バネからなる負電極接点１ｃを設けている。
２は第二ケースで、中心部に電池を収納する、例えば、単二形電池の外径に対応する内径とした有底円筒状の収納部２ａを設け、同収納部２ａは単二形電池または単三形電池を収納可能に上面（図１からみれば下面）に開口端部２ｂを有し、底面の中心部に例えば、ボタン状の正電極接点２ｃを設けている。
３は軸付位置決めホルダで、第一ケース１と第二ケース２の収納部１ａ、２ａ壁面内部にそれぞれ、回転軸３ａにより軸支され、同回転軸３ａのまわりをスプリングバネ３ｂにより収納部１ａ、２ａに向けて付勢されている。この軸付位置決めホルダ３は、単二形電池または単三形電池を収納した場合、これらの電池の外周を押圧するように複数設けられ、単三形電池の中心軸を収納部１ａ、２ａの中心に配置するものとなっている。
このため、収納部１ａ、２ａの内側に向けて突出した軸付位置決めホルダ３の側部は、単三形電池の外径に対応した曲面状となっている。
第一ケース１の上面の開口端部１ｂには、その外周面に雄螺子部１ｅが形成され、第二ケース２の上面の開口端部２ｂには、その内周面に雌螺子部２ｅが形成されている。この雄螺子部１ｅと雌螺子部２ｅを螺合させ、単二形あるいは単三形電池を、任意の組み合わせで直列にかつ縦方向に収納可能な電池ケースを構成している。
【００１４】
このような電池ケースの構成において、電池未収納状態では、第一ケース１と第二ケース２の軸付位置決めホルダ３は、回転軸３ａのまわりのスプリングバネ３ｂにより収納部１ａ、２ａ内に突出した状態に保持している。
【００１５】
更に、図１（ａ）及び図１（ｂ）に示すように、略四角柱をなす軸付位置決めホルダ３の一端部に回転軸３ａを具備し、第一ケース１と第二ケース２の収納部１ａ、２ａの空間から壁面内部に向けて、軸付位置決めホルダ３を、その回転軸３ａを中心に、矢印のように回動可能に収容する、略四角柱状の収容空間部１ｄ、２ｄが、十字状に等間隔で４箇所ずつ設けられ、収容空間部１ｄ、２ｄには、軸付位置決めホルダ３の回動をスムーズにするための回転軸３ａのまわりに凹部１ｆ、２ｆを形成している。
【００１６】
そして、スプリングバネ３ｂは、電池ケース本体１の収容空間部１ｄ、２ｄの上面部と軸付位置決めホルダ３の内部に延伸されたピン（図示せず）を備え、収容空間部１ｄ、２ｄ内に保持されている。
【００１７】
以上説明した構成による本発明の電池ケースにおいて、第一ケース１の収納部１ａに単二形電池４を、第二ケース２の収納部２ａに単三形電池５をそれぞれ収納し、雄螺子部１ｅと雌螺子部２ｅを螺合し一体的に収納した場合、図２（ａ）及び図２（ｂ）に示す状態で保持される。
【００１８】
図２（ａ）及び図２（ｂ）のように、まず、第一ケース１に収納される単二形電池４は、その下面（−側）が軸付位置決めホルダ３の上面部であるテーパ面に当接し、回転軸３ａのまわりのスプリングバネ３ｂの作用により、更に単二形電池４を挿入していくと、第一ケース１の収容空間部１ｄに向けて回動し、軸付位置決めホルダ３は収納部１ａの内側に突出した状態から収容空間部１ｄ内に収容された状態となり、軸付位置決めホルダ３のテーパ面が単二形電池４の外周面と当接する。
第一ケース１に収納した単二形電池４は、４箇所の軸付位置決めホルダ３により収納部１ａに向けて押圧され保持される。
次に、第二ケース２に収納される単三形電池５（＋側を上に）は、軸付位置決めホルダ３が収納部２ａ内に突出した状態を保持したまま挿入され、軸付位置決めホルダ３のスプリングバネ３ｂの作用により、軸付位置決めホルダ３は単三形電池５の外周面に当接し、単三形電池５を収納部２ａの中心部に保持する。
そして、第一ケース１の雄螺子部１ｅと、第二ケース２の雌螺子部２ｅを螺合して、単二形電池４と単三形電池５とを直列にかつ縦型に、負電極接点１ｃと正電極接点２ｃを介して電気的に接続される。
【００１９】
次に、図２及び図３に示すように、軸付位置決めホルダ３は、具体的にはプラスチック等の合成樹脂からなる７面体で構成され、回転軸３ａが貫通される一端部分には、回転軸３ａのまわりにスプリングバネ３ｂを収容するための凹部３ｃと、同凹部３ｃの両側部に回転軸３ａの貫通孔３ｄとを夫々形成すると共に、凹部３ｃの一面には、スプリングバネ３ｂのピンが差込まれる差込孔３ｅを形成している。また、軸付位置決めホルダ３の一側部にはスプリングバネ３ｂのピンを収容する溝３ｆを形成している。
そして、回転軸３ａが貫通される一端部分に相対向する側部は、単三形電池５の外周面と対応するよう当接するために曲面状とし、その他６面の側部を平面状としている。
【００２０】
このような構成による電池ケースにおいて、電池切れ等により電池交換する場合、第一ケース１の雄螺子部１ｅと第二ケース２の雌螺子部２ｅの螺合部分を回して第一ケース１と第二ケース２を分離し、第一ケース１と第二ケース２の各開口端部を地面に向けて逆さにすると、単二形電池４、単三形電池５は、それぞれの自重により収納部１ａ、２ａから摺動して第一ケース１、第二ケース２から外に取出される。
【００２１】
以上の説明のように、本発明の電池ケースによれば、従来例と比べ、構造が簡単でかつ省スペース化を図ると共に、単二形あるいは単三形電池を任意の組合せで直列に接続し収納でき、また、本発明の軸付位置決めホルダによれば、単三形電池を確実に負電極接点、正電極接点の中央に収納することができる。
【００２２】
前記実施形態例では、第一ケース１、第二ケース２の収納部１ａ、２ａを単二形電池４の外径に対応する内径とした有底円筒状とした場合について説明したが、本発明はこれに限るものでなく、単二形電池を収納可能な四角柱状などの有底筒状とした場合も適用できる。
例えば、収納部１ａ、２ａが正四角柱状の場合、単二形電池６の外径に対応する縦、横の長さとし、各側面内部に軸付位置決めホルダ３を配設することにより適用できる。
【００２３】
前記実施形態例では、第一ケース１、第二ケース２の収容空間部１ｄ、２ｄ内に収容される軸付位置決めホルダ３を、電池の周側部に対向して、十字状に等間隔に、４箇所ずつ設けられた場合について説明したが、本発明はこれに限るものでなく、軸付位置決めホルダ３を、２箇所ずつ、３箇所ずつなどの複数箇所に設けられた場合も適用できる。
【００２４】
前記実施形態例では、第一ケース１の開口端部の外周面に雄螺子部１ｅを形成し、第二ケース２の開口端部の内周面に雌螺子部２ｅを形成した場合について説明したが、本発明はこれに限るものでなく、第一ケース１の開口端部の内周面に雌螺子部を形成し、第二ケース２の開口端部の外周面に雄螺子部を形成した場合も適用できる。
また、前記実施形態例では、電池未収納状態における軸付位置決めホルダ３を、収納部１ａ、２ａ内に突出した状態に保持する場合について説明したが、本発明はこれに限るものでなく、軸付位置決めホルダ３を収納部１ａ、２ａの内側に少し傾け、単三形電池５の外径より内側まで突出した状態に保持する場合も適用でき、単三形電池５の保持を高めることができる。
更に、前記実施形態例では、軸付位置決めホルダ３のテーパ面を平面状とし単二形電池４の外周面と当接する場合について説明したが、本発明はこれに限るものでなく、軸付位置決めホルダ３のテーパ面を、単二形電池４の外周面と対応するように曲面状とした場合も適用でき、収納部１ａ、２ａの形状に関わらず単二形電池４の保持を高めることができる。
【００２５】
【発明の効果】
請求項１に記載の発明は、有底筒状の底面に負電極接点を有し、上面の開口端部から単二形電池または単三形電池を挿脱可能に収納する収納部を備えた第一ケースと、
有底筒状の底面に正電極接点を有し、上面の開口端部から単二形電池または単三形電池を挿脱可能に収納する収納部を備えた第二ケースと、
前記第一ケースと前記第二ケースの前記収納部の壁面内部にスプリングバネにより回動自在に軸支され、収納される前記電池の外周を押圧し、前記電池の中心軸を前記収納部の中心に配置する複数の軸付位置決めホルダとから構成され、
前記第一ケースまたは前記第二ケースの一方の開口端部の外周面に雄螺子部を形成するとともに、他方の開口端部の内周面に雌螺子部を形成し、同雌螺子部と前記雄螺子部とを螺合することにより、
前記単二形電池または前記単三形電池を、任意の組み合わせで直列にかつ縦方向に収納してなることを特徴とするものである。
【００２６】
このような構成においては、構造が簡単でかつ省スペース化を図ると共に、複数個の単二形、単三形電池を任意の組合せで直列に接続し収納できる電池ケースを提供することができる。
【００２７】
請求項２に記載の発明は、請求項１に記載の発明において、前記収納部を円筒状とし、同円筒状の内径を前記単二形電池の外径に対応してなることにより、更に省スペース化を図ることができる。
【００２８】
請求項３に記載の発明は、請求項２記載の発明において、前記軸付位置決めホルダの一側面は、前記単三形電池の外径に対応した曲面状としたことにより、単三形電池を確実に負電極接点または正電極接点の中央に収納することができる。
【００２９】
【図面の簡単な説明】
【図１】本発明による電池ケースにおいて電池未収納状態を示す図であり、（ａ）は（ｂ）のＢ−Ｂ線矢視に相当する下面からみた概略断面図、（ｂ）は（ａ）のＡ−Ａ線矢視の概略断面図である。
【図２】本発明による電池ケースにおいて電池収納状態を示す図であり、（ａ）は（ｂ）のＢ−Ｂ線矢視に相当する下面からみた概略断面図、（ｂ）は（ａ）のＡ−Ａ線矢視の概略断面図である。
【図３】本発明による電池ケースの軸付位置決めホルダの部分斜視図である。
【図４】従来例１による電池ケースの構成図であり、（ａ）は平面図、（ｂ）は断面図である。
【図５】従来例２による電池ケースの構成図であり、（ａ）は分解斜視図、（ｂ）は作用説明図である。
【符号の説明】
１  第一ケース
１ａ  収納部
１ｂ  開口端部
１ｃ  負電極接点
１ｄ  収容空間部
１ｅ  雄螺子部
１ｆ  凹部
２  第二ケース
２ａ  収納部
２ｂ  開口端部
２ｃ  正電極接点
２ｄ  収容空間部
２ｅ  雌螺子部
２ｆ  凹部
３  軸付位置決めホルダ
３ａ  回転軸
３ｂ  スプリングバネ
３ｃ  凹部
３ｄ  貫通孔
３ｅ  差込孔
３ｆ  溝
４  単二形電池
５  単三形電池
【図１】
2004311035.tif 000003
【図２】
2004311035.tif 000004
【図３】
2004311035.tif 000005
【図４】
2004311035.tif 000006
【図５】
2004311035.tif 000007